(57)【特許請求の範囲】
【請求項１】
建物の軒部に張り出された庇の一部、あるいは全部に太陽光線を透過する採光面が設けられ、この採光面に近接してルーバーが付設され、このルーバーの複数の羽根が建物の開口部側に向かって下がる略同一な角度に傾斜しているとともに、
前記ルーバーの前記複数の羽根の上面には日射吸収層が設けられ、前記複数の羽根の下面には日射反射層が設けられていることを特徴とする建物の庇部構造。
【請求項２】
前記ルーバーの前記複数の羽根の傾斜が、前記建物の建設地における設定した暖房開始日の南中高度に略等しくなされていることを特徴とする請求項１記載の建物の庇部構造。
【請求項３】
前記建物の前記開口部の上部に通風用小窓が設けられていることを特徴とする請求項１又は２記載の建物の庇部構造。
【請求項４】
前記通風用小窓が、内倒し方式によって開閉可能とされたものであることを特徴とする請求項３記載の建物の庇部構造。
【請求項５】
前記通風用小窓の室内側のガラス面がプリズム面とされていることを特徴とする請求項３又は４記載の建物の庇部構造。
【発明の詳細な説明】
【０００１】
【発明の属する技術分野】
この発明は、建物の庇部構造、特に採光性を有する建物の庇部構造に関する。
【０００２】
【従来の技術】
本来の建物の庇とは違って、近年採光性がある庇が多く用いられるように成っている。例えば、特開平４−３１５４６号公報に記載されているように、建物の壁面から庇を張り出した傾斜採光面と、この先端から垂下する垂直採光面を有する庇を設け、雨水が降りかからない空間として有効利用することができる建物の庇部構造が知られている。
【０００３】
しかし、上記特開平４−３１５４６号公報に記載された建物の庇部構造は、採光の面だけしか考慮されていない構造となっており、庇が本来持つべき遮光、あるいは日除けの機能が欠落しているといった問題がある。
【０００４】
上記問題を解決するものとして、特開平８−１４４４５６号公報には、建物に設けられる庇であって、この庇の一部、あるいは全部に太陽光線を透過する採光面が設けられ、この採光面に近接してルーバーが付設されていることを特徴とする建物の庇部構造が提案されている。
【０００５】
【発明が解決しようとする課題】
上記特開平８−１４４４５６号公報に記載された建物の庇部構造では、遮光性と採光性を兼ね備えた機能を有するものとして有用であるが、ルーバーの角度を時期に応じてその都度変更しなければならず、不便であった。
【０００６】
この発明は、上記の点に鑑みてなされたものであり、ルーバーの角度を変更することなく、遮光性と採光性を兼ね備えた建物の庇部構造を提供することを目的とする。
さらに、遮光性、採光性、通風性及び防犯性を兼ね備えた建物の庇部構造を提供することを目的とする。
【０００７】
【課題を解決するための手段】
請求項１記載の発明の建物の庇部構造は、建物の軒部に張り出された庇の一部、あるいは全部に太陽光線を透過する採光面が設けられ、この採光面に近接してルーバーが付設され、このルーバーの複数の羽根が建物の開口部側に向かって下がる略同一な角度に傾斜しているとともに、前記ルーバーの前記複数の羽根の上面には日射吸収層が設けられ、前記複数の羽根の下面には日射反射層が設けられていることを特徴としている。
【０００８】
請求項２記載の発明の建物の庇部構造は、請求項１記載の建物の庇部構造において、前記ルーバーの前記複数の羽根の傾斜が、前記建物の建設地における設定した暖房開始日の南中高度に略等しくなされていることを特徴としている。
【００１０】
請求項３記載の発明において、日射吸収層としては、太陽光線を吸収する性能を有するような板、例えば黒色板等を羽根の上面に接合して日射吸収層を形成したものであるほか、羽根の上面を黒色塗料で塗装して日射吸収層を形成したものであってもよい。
また、日射反射層としては、太陽光線を反射する性能を有する板体、例えば金属板、白色板等を羽根の下面に接合して日射反射層を形成したものであるほか、羽根の下面を白色塗料、メタル塗料で塗装して日射反射層を形成したものであってもよい。
【００１１】
請求項３記載の発明の建物の庇部構造は、請求項１又は２記載の建物の庇部構造において、前記建物の前記開口部の上部に通風用小窓が設けられていることを特徴としている。
【００１２】
請求項４記載の発明において、通風用小窓の高さは３００ｍｍ程度であることが、防犯上から見て好ましい。
【００１３】
請求項４記載の発明の建物の庇部構造は、請求項３記載の建物の庇部構造において、前記通風用小窓が、内倒し方式によって開閉可能とされたものであることを特徴としている。
【００１４】
請求項５記載の発明において、通風用小窓は壁面に対して３０度程度傾いて開くようにするのが、防犯上から見て好ましい。
【００１５】
請求項５記載の発明の建物の庇部構造は、請求項３又は４記載の建物の庇部構造において、前記通風用小窓の室内側のガラス面がプリズム面とされていることを特徴としている。
【００１６】
請求項５記載の発明において、ガラス面にプリズム面が直接形成される他、ガラス面にプリズムシートが貼着されてプリズム面とされてもよい。
【００１７】
（作用）
請求項１記載の建物の庇部構造にあっては、庇の一部、あるいは全部に太陽光線を透過する採光面が設けられ、この採光面に近接してルーバーが付設され、このルーバーの複数の羽根が建物の開口部側に向かって下がる略同一な角度に傾斜しているので、冬場の太陽光が低い位置から照射するときには、その太陽光線の照射角度が、ルーバーの複数の羽根の傾斜角度に近づくようになり、太陽光線がルーバーの複数の羽根の間を通過し、建物の開口部から建物の室内に入り、採光性の優れたものとなる。
また、夏場等の太陽光が高い位置から照射されるときには、その太陽光線の照射角度が、ルーバーの複数の羽根の傾斜角度より大きくなり、ルーバーの複数の羽根に当たって遮断され、建物の開口部から建物の室内に入るのが遮断される。
さらに、ルーバーの複数の羽根の上面には日射吸収層が設けられているので、夏場等の太陽光が高い位置から照射されるときには、その太陽光線の照射角度が、ルーバーの複数の羽根の傾斜角度より大きくなり、ルーバーの複数の羽根に当たって日射吸収層に吸収されることにより、太陽光線の遮断がより一層良好なものとなる。また、太陽光線は反射されないので反射光が室内に射し込むことがない。
そして、冬場の太陽光が低い位置から照射する場合、その太陽光線の照射角度が、ルーバーの複数の羽根の傾斜角度より小さく、太陽光線がルーバーの複数の羽根の間を通過しない場合でも、ルーバーの複数の羽根の下面に当たり、複数の羽根の下面の日射反射層により反射してルーバーの複数の羽根の間を通過するようになるので、その反射した太陽光線がルーバーの複数の羽根の間を通過し、建物の開口部から建物の室内に入り、採光性がより良好なものとなる。
【００１８】
請求項２記載の建物の庇部構造にあっては、ルーバーの複数の羽根の傾斜が、建物の建設地における設定した暖房開始日の南中高度に略等しくなされているので、暖房開始日前の暖房不要時期の間は、太陽光線はルーバーの複数の羽根に遮られて建物の開口部から建物の室内に入るのが遮断され、暖房開始日から太陽光線がルーバーの複数の羽根の間を通って建物の開口部から建物の室内に入るようになり、室内を温めるようになるので、暖房費用を低減できる。
【００２１】
請求項３記載の発明の建物の庇部構造にあっては、請求項１又は２記載の建物の庇部構造と同様の作用を奏するとともに、建物の開口部の上部に通風用小窓が設けられているので、通風用小窓を開いて通風を行うことができ、建物の開口部全部を開けて通風を行う場合に比して、防犯上安全であり、他人の視線が気にならない。
【００２２】
請求項４記載の発明の建物の庇部構造は、請求項１〜３記載の建物の庇部構造と同様の作用を奏するとともに、内倒し方式によって開閉可能とされたものであるので、室内側から小窓の開閉ができ、便利である。
【００２３】
請求項５記載の発明の建物の庇部構造は、請求項１〜４記載の建物の庇部構造と同様の作用を奏するとともに、通風用小窓の室内側のガラス面がプリズム面とされているので、そのプリズム面で入射した光は屈折して室内に拡散され、室内への採光性がより高められる。
【００２４】
【発明の実施の形態】
この発明の実施の形態を図面の実施例に基づいて説明する。
【００２５】
（第１実施例）
図１は、この発明の建物の庇部構造の第１実施例を示す断面図であり、図２は、図１に示す建物の庇部構造の平面図であり、図３は、ルーバーの羽根の構造を示す断面図である。
【００２６】
図１及び図２において、建物の屋内１と室外２との間には外壁３と、その下に室内１と室外２との仕切りとなる開口部４が設けられ、ガラス戸等により室内１の採光が可能となっている。５は外壁３の側面より室外２に向かって張り出して設けられた庇である。この庇５の天井は太陽光線を透過する、いわゆる透光性を有する材料、例えば、網入りガラス、合わせガラス、ポリカーボネート板等からなる採光面５ａとなされている。
【００２７】
上記庇５の真下には、庇５に近接してアルミ製のルーバー６が設けられ、このルーバー６の複数の羽根６ａ，・・・は、建物の開口部４側に向かって下がる略同一な角度に傾斜している。
この傾斜角度θは、図３に示すように、建物の建設地における設定した暖房開始日の南中高度に略等しくなされている。例えば、東京の南向きの居室では、３０〜４０度、より好ましくは略３５度の太陽高度の日射が入るように角度とされる。この角度において、６０〜７７度の太陽高度の日射は効果的に遮蔽される。このルーバー６の複数の羽根６ａ，・・・の傾斜角度は、予め設定しておいてもよいが、建物の建設時に所定の傾斜角度に設定してもよい。
【００２８】
このルーバー６の羽根６ａは、図３に示すように、羽根本体６１ａと、羽根本体６１ａの上面に、黒色板等を貼着するか、黒色塗料で塗装するなどして形成された日射吸収層６２ａと、羽根本体６１ａの下面に、金属板、白色板等を貼着するか、白色塗料、メタル塗料等で塗装して形成された日射反射層６３ａとから構成されている。
【００２９】
（第１実施例の作用）
以下、この発明の建物の庇部構造の第１実施例の作用を、図４の建物の庇部構造の作用を説明する断面図を参照して説明する。
【００３０】
図４（Ａ）は、建物の建設地における暖房開始日頃の太陽光線の採光状態を示す断面図である。
この図４（Ａ）において、庇５の上面より照射されてくる太陽光線は、庇５の採光面５ａを通過する。この庇５の真下のルーバー６の羽根６ａの傾斜が南中高度に略等しくなされ、太陽光線が照射してくる角度とほぼ平行であるので、ほとんどの太陽光線を図中の矢印（→）のようにルーバー６の羽根６ａの間を通過して、室内１側に採り入れることができ、良好な採光状態とすることが可能である。
【００３１】
図４（Ｂ）は、建物の建設地における暖房開始日前の太陽光線の採光状態を示す断面図である。
この図４（Ｂ）において、庇５の上面より照射されてくる太陽光線は、庇５の採光面５ａを通過するが、その照射角度は、この庇５の真下のルーバー６の羽根６ａの傾斜角度より大であるので、ルーバー６の羽根６ａ面で図中の矢印（→）のように当たり、室内１への太陽光線の入射は遮断される。
このとき、ルーバー６の羽根６ａ面に当たった太陽光線のほとんどは、羽根６ａの上面に形成された日射吸収層６２ａに吸収されるので、反射光が室内１に入るようなことがない。
【００３２】
図４（Ｃ）は、建物の建設地における暖房開始日以降の太陽光線の採光状態を示す断面図である。
この図４（Ｃ）において、庇５の上面より照射されてくる太陽光線は、庇５の採光面５ａを通過する。この時、太陽光線の照射角度は、この庇５の真下のルーバー６の羽根６ａの傾斜角度よりやや小さいので、大部分の太陽光線は図中の矢印（→）のようにルーバー６の羽根６ａの間を通過して、室内１側に採り入れることができるが、一部の太陽光線は、ルーバー６の羽根６ａの下面に当たる。羽根６ａの下面には日射反射層６３ａが形成されているので、反射して図中の矢印（→）のように室内１側に採り入れることができる。
このように、ほとんどの太陽光線を室内１側に採り入れることができる。
【００３３】
この発明の建物の庇部構造において、庇５に近接して設けられるルーバー６は、上記実施例のように、庇５の真下に設ける他、庇５の真上、あるいは庇５の採光面５ａの真下であって、庇５内に設けることも可能である。
【００３４】
（第２実施例）
図５は、この発明の建物の庇部構造の第２実施例を示す断面図であり、（Ａ）は夏季の遮光状態と通風状態を示す断面図、（Ｂ）は冬季の窓閉鎖時の採光状態を示す断面図、図６は通風小窓のガラス戸の構造を示す部分側面図である。
【００３５】
図５及び図６において、建物の屋内１０と室外２０との間には、外壁３０と、その下に室内１０と室外２０との仕切りとなる開口部４０が設けられ、ガラス戸等により室内１０の採光が可能となっている。５０は外壁３０の側面より室外２０に向かって張り出して設けられた庇である。
この庇５０の天井は太陽光線を透過する、いわゆる透光性を有する材料からなる採光面５０ａとなされていることは、第１実施例と同様である。
【００３６】
上記庇５０の真下には、庇５０に近接してルーバー６０が設けられ、このルーバー６０の複数の羽根６０ａは、建物の開口部４０側に向かって下がる略同一な角度に傾斜していることも、第１実施例と同様であり、ルーバー６０の複数の羽根６０ａの傾斜角度や構成も第１実施例と同様にされているのでその詳細な説明は省略する。
【００３７】
建物の開口部４０は、下部ガラス戸４１と、その上部の高さが３０ｍｍ程度の通風用小窓４２とに二分されており、通風用小窓４２は、内倒し方式により開閉できるものであって、外壁３０に対して３０度程度開くようにされている。
【００３８】
また、通風用小窓４２は、図６に示すように、ガラス戸４２１の室内１０側に、屈折角度３０度のプリズムシートが貼着されてプリズム面４２２が形成されている。
【００３９】
（第２実施例の作用）
日射が、ルーバー６０を通過する状態、ルーバー６０で遮光される状態は、第１実施例と同じであるので、その説明を省略する。
【００４０】
図５（Ａ）に示すように、夏季、日射はルーバー６０の羽根６０ａによりほとんど遮光され、通風用小窓４２を内倒しにて壁３０に対して３０度程度開けることにより、他人の視線を気にすることなく通風が行われる。また、庇５０により雨が室内１０の吹き込まず、通風用小窓４２が高いところにあるので、防犯上からも比較的安全であり、通風用小窓４２を開けてたまま、日中の一寸した外出中に換気でき室内１０に熱がこもらない。
【００４１】
図５（Ｂ）に示すように、冬季、日射はルーバー６０の羽根６０ａ間を通過して開口部４０に至り、下部ガラス戸４１と通風用小窓４２から室内１０に採光されるが、通風用小窓４２に当たる日射は、ガラス戸４２１を通ってプリズム面４２２に至って略水平となるように屈折して室内に拡散され、室内への採光がより高められる。なお、冬季には、特に換気が必要な時に通風用小窓４２を開ければよい。
【発明の効果】
請求項１記載の建物の庇部構造にあっては、庇の一部、あるいは全部に太陽光線を透過する採光面が設けられ、この採光面に近接してルーバーが付設され、このルーバーの複数の羽根が建物の開口部側に向かって下がる略同一な角度に傾斜しているので、冬場の太陽光が低い位置から照射するときには、その太陽光線の照射角度が、ルーバーの複数の羽根の傾斜角度に近づくようになり、太陽光線がルーバーの複数の羽根の間を通過し、建物の開口部から建物の室内に入り、採光性の優れたものとなる。
また、夏場等の太陽光が高い位置から照射されるときには、その太陽光線の照射角度が、ルーバーの複数の羽根の傾斜角度より大きくなり、ルーバーの複数の羽根に当たって遮断され、建物の開口部から建物の室内に入るのが遮断される。
さらに、ルーバーの複数の羽根の上面には日射吸収層が設けられているので、夏場等の太陽光が高い位置から照射されるときには、その太陽光線の照射角度が、ルーバーの複数の羽根の傾斜角度より大きくなり、ルーバーの複数の羽根に当たって日射吸収層に吸収されることにより、太陽光線の遮断がより一層良好なものとなる。また、太陽光線は反射されないので反射光が室内に射し込むことがない。
そして、冬場の太陽光が低い位置から照射する場合、その太陽光線の照射角度が、ルーバーの複数の羽根の傾斜角度より小さく、太陽光線がルーバーの複数の羽根の間を通過しない場合でも、ルーバーの複数の羽根の下面に当たり、複数の羽根の下面の日射反射層により反射してルーバーの複数の羽根の間を通過するようになるので、その反射した太陽光線がルーバーの複数の羽根の間を通過し、建物の開口部から建物の室内に入り、採光性がより良好なものとなる。
【００４２】
請求項２記載の建物の庇部構造にあっては、ルーバーの複数の羽根の傾斜が、建物の建設地における設定した暖房開始日の南中高度に略等しくなされているので、暖房開始日前の暖房不要時期の間は、太陽光線はルーバーの複数の羽根に遮られて建物の開口部から建物の室内に入るのが遮断され、暖房開始日から太陽光線がルーバーの複数の羽根の間を通って建物の開口部から建物の室内に入るようになり、室内を温めるようになるので、暖房費用を低減できる。
【００４５】
請求項３記載の発明の建物の庇部構造にあっては、請求項１又は２記載の建物の庇部構造と同様の作用を奏するとともに、建物の開口部の上部に通風用小窓が設けられているので、通風用小窓を開いて通風を行うことができ、建物の開口部全部を開けて通風を行う場合に比して、防犯上安全であり、他人の視線が気にならない。
【００４６】
請求項４記載の発明の建物の庇部構造は、請求項１〜３記載の建物の庇部構造と同様の作用を奏するとともに、内倒し方式によって開閉可能とされたものであるので、室内側から小窓の開閉ができて便利である。
【００４７】
請求項５記載の発明の建物の庇部構造は、請求項１〜４記載の建物の庇部構造と同様の作用を奏するとともに、通風用小窓の室内側のガラス面がプリズム面とされているので、そのプリズム面で入射した光は屈折して室内に拡散され、室内への採光がより高められる。
【図面の簡単な説明】
【図１】この発明の建物の庇部構造の第１実施例を示す断面図である。
【図２】図１に示す建物の庇部構造の平面図である。
【図３】図１に示す建物の庇部構造において用いられているルーバーの羽根の構造を示す断面図である。
【図４】この発明の建物の庇部構造の作用を示す断面図である。
【図５】この発明の建物の庇部構造の第２実施例を示す断面図である。
【図６】通風小窓のガラス戸の構造を示す部分側面図である。
【符号の説明】
１、１０    室内
２、２０    室外
３、３０    外壁
４、４０    開口部
４１        下部ガラス戸
４２        通風小窓
４２２      プリズム面
５、５０    庇
５ａ、５０ａ    採光面
６、６０    ルーバー
６ａ、６０ａ    羽根
６１ａ    羽根本体
６２ａ    日射吸収板
６３ａ    日射反射板
【図１】
0004320146.tif 000002
【図２】
0004320146.tif 000003
【図３】
0004320146.tif 000004
【図４】
0004320146.tif 000005
【図５】
0004320146.tif 000006
【図６】
0004320146.tif 000007